(57)【要約】【課題】水洗式の便器１０を室内に設置可能にする。【解決手段】便器１０のボウル１３の上部にオーバフロー用の排水口１１を開口し、排水口１１は、トラップ１２を介して便器１０の排水管１４に接続する。便器１０が詰まっても、ボウル１３内の汚水が外部に溢れるおそれがない。【選択図】図１
2005207222.tif 000002
【特許請求の範囲】
【請求項１】
水洗式の便器のボウルの上部にオーバフロー用の排水口を開口してなり、該排水口は、トラップを介して前記便器の排水管に接続することを特徴とする水洗トイレ装置。
【請求項２】
前記トラップは、前記便器に一体に組み込むことを特徴とする請求項１記載の水洗トイレ装置。
【請求項３】
前記トラップは、前記便器の外部に配設することを特徴とする請求項１記載の水洗トイレ装置。
【請求項４】
前記トラップには、シスタンへの給水の一部を供給することを特徴とする請求項１ないし請求項３のいずれか記載の水洗トイレ装置。
【請求項５】
前記トラップには、シスタンからの洗浄水の一部を供給することを特徴とする請求項１ないし請求項３のいずれか記載の水洗トイレ装置。
【請求項６】
前記トラップには、手洗器からの排水を供給することを特徴とする請求項１ないし請求項３のいずれか記載の水洗トイレ装置。
【発明の詳細な説明】
【技術分野】
【０００１】
この発明は、病人の寝室や、要介護の高齢者などが居住する部屋などにも好適に設置することができる水洗トイレ装置に関する。
【背景技術】
【０００２】
水洗式の便器は、ボウルの底部から外部の排水管に至る排水経路が詰まると、汚物が混じった汚水がボウルから溢れることがあるため、専用のトイレルームに設置することが予定されており、病人の寝室や、要介護の高齢者などが居住する部屋などに設置することは、本質的に不適切である。
【０００３】
一方、水洗式の便器にオーバフロー用の配水管を設け、ボウルから汚水が溢れることがないように工夫した技術が知られている（たとえば特許文献１）。このものは、ボウルの最下部にフラッパ弁を設け、フラッパ弁を開いてボウル内の汚水を一挙に排水することにより、汚物排出の不完全性、排水時の騒音などを含む従来のサイフォン式、サイフォンジェット式などの水洗便器の欠点を解決するものである。なお、オーバフロー用の排水管は、ボウルの最下部に設ける排水経路に対し、フラッパ弁の直近上流側に上向きに分岐接続されており、仮にフラッパ弁の開放動作が不調になった場合でも、ボウル内の汚水の最高レベルを一定に抑え、ボウルから汚水が溢れることを防止することができる。
【特許文献１】特開平７−３１０３５５号公報
【発明の開示】
【発明が解決しようとする課題】
【０００４】
かかる従来技術によるときは、オーバフロー用の排水管は、ボウルの最下部のフラッパ弁の上流側に上向きに分岐接続されているから、それ自体が詰まり易い上、フラッパ弁を使用しない従来のサイフォン式、サイフォンジェット式などの便器に対してそのまま採用し得るものでないという問題があった。
【０００５】
そこで、この発明の目的は、かかる従来技術の問題に鑑み、ボウルの上部にオーバフロー用の排水口を開口することによって、サイフォン式、サイフォンジェット式などのいずれの形式にも適用することができ、汚水の溢れを確実に防止して寝室や部屋などにも好適に設置することができる水洗トイレ装置を提供することにある。
【課題を解決するための手段】
【０００６】
かかる目的を達成するためのこの発明の構成は、水洗式の便器のボウルの上部にオーバフロー用の排水口を開口してなり、排水口は、トラップを介して便器の排水管に接続することをその要旨とする。
【０００７】
なお、トラップは、便器に一体に組み込むことができ、便器の外部に配設することができる。
【０００８】
また、トラップには、シスタンへの給水の一部を供給してもよく、シスタンからの洗浄水の一部を供給してもよく、手洗器からの排水を供給してもよい。
【発明の効果】
【０００９】
かかる発明の構成によるときは、オーバフロー用の排水口は、ボウルの上部に開口されており、便器が詰まっても、ボウル内の汚水の最高レベルを一定に抑え、汚水の溢れを確実に防止することができる。また、オーバフロー用の排水口は、トラップを介して便器の排水管に接続されているから、排水管からの悪臭が便器の外部に漏れるおそれもなく、全体として、寝室や部屋などに好適に設置することができる。なお、トラップは、たとえばＳトラップ、Ｕトラップのような水封式の防臭トラップを使用するものとする。
【００１０】
トラップは、便器に一体に組み込むことにより、設置工事を簡単にすることができ、便器の外部に配設することにより、市販の便器を流用使用することも可能である。ただし、後者の場合、市販の便器に対し、たとえばボウルの前部の内面上部にオーバフロー用の排水口を追加穿設し、トラップに至る配管をオーバフロー用の排水口に接続すればよい。
【００１１】
トラップには、水を随時供給することにより、封水の量を確保するとともに、封水を清浄に保ち、悪臭の発生を防止することができる。なお、トラップに対する給水は、シスタンへの給水の一部を利用してもよく、シスタンからの洗浄水の一部を利用してもよく、さらには、手洗器からの排水を利用してもよい。また、これらの水源の２以上を併用してトラップに給水してもよい。
【発明を実施するための最良の形態】
【００１２】
以下、図面を以って発明の実施の形態を説明する。
【００１３】
水洗トイレ装置は、便器１０に対し、オーバフロー用の排水口１１を開口し、トラップ１２を一体に組み込んでなる（図１、図２）。ただし、便器１０は、付属のロータンク式のシスタン２０とともに、椅子形のカバーフレーム３０に収納されている。
【００１４】
便器１０は、ボウル１３の底部に上下に屈曲する排水経路１３ａを形成してサイフォン式に構成されている。また、排水経路１３ａの下端には、排水管１４が接続されている。ボウル１３の上端縁には、全周に亘って中空のリム部１５が形成されており、リム部１５の下面には、洗浄水の流出孔１５ａ、１５ａ…が形成されている。なお、リム部１５は、便器１０の前部において、導水路１５ｂを介し、シスタン２０の下面の排出孔２１に連通している。シスタン２０には、図示しないフロート弁付きの給水管が配管されており、排出孔２１には、手動ハンドルを介して開閉する図示しない開閉弁が付設されている。
【００１５】
オーバフロー用の排水口１１は、ボウル１３の前面側において、ボウル１３の内面上部に開口している。排水口１１からの水路は、Ｓトラップを形成するトラップ１２、下向きの排水路１２ａを介して便器１０の下面に到達し、補助排水管１２ｂを介して便器１０の排水管１４に接続されている。なお、便器１０の上面には、上方に開く便座１６が付設されている。
【００１６】
カバーフレーム３０は、便器１０を収納する座面部分３１と、シスタン２０を収納する背もたれ部分３２とを備えている。便器１０の便座１６は、座面部分３１の上面に露出しており、座面部分３１には、便座１６上に被せる蓋３３が付設されている。蓋３３は、ヒンジ３３ａ、３３ａを介して座面部分３１の上面の支持材３３ｂに連結されており、上方に開くことができる。蓋３３は、ほぼ中央で２分割されており、上方に開くと、図示しない別のヒンジを介して上部を下側に折り返し（図１の一点鎖線、図２の実線）、便座１６上に着座する使用者の背もたれとして使用することができる。なお、座面部分３１には、蓋３３の後方に手すり３４が配設されている。ただし、図１は、手すり３４の図示を省略している。
【００１７】
かかる便器１０は、一般的なサイフォン式の便器と全く同様にして使用することができる。すなわち、使用者は、蓋３３を開いて便座１６上に着座して用を足し、シスタン２０からの洗浄水を流すことにより、排水管１４を介し、ボウル１３内の汚物が混じった汚水を流し去るとともに、ボウル１３内を洗浄することができる。また、このとき、たとえば排水経路１３ａが異物などで詰まったとしても、オーバフロー用の排水口１１により、ボウル１３内の汚水の最高レベルを一定に抑えることができ、汚水が外部に溢れるおそれがない。すなわち、排水口１１は、便器１０の詰りがない正常時において、ボウル１３内の汚水が流入することがなく、便器１０の詰りが生じても、汚水が外部に溢れない位置に開口させるものとする。
【００１８】
一方、オーバフロー用の排水口１１には、便器１０の使用の都度、リム部１５の前方側の流出孔１５ａ、１５ａ…からの洗浄水が流入することにより、排水口１１を介してシスタン２０からの洗浄水の一部がトラップ１２に供給される。そこで、トラップ１２内の封水は、常に清浄に保たれる上、便器１０の詰りによってボウル１３内の汚水がトラップ１２に流入しても、詰りを修復して繰返し洗浄水を流すことにより、トラップ１２内の汚水による悪臭を速やかに消失させることができる。ただし、便器１０は、たとえば導水路１５ｂからトラップ１２の上流側に至る図示しない分岐水路を設けることにより、排水口１１を介することなく、シスタン２０からの洗浄水の一部をトラップ１２に供給してもよい。
【００１９】
なお、便器１０は、図１のように部屋の床ＦＬ上に設置するに代えて、便座１６が床ＦＬとほぼ同一レベルとなるように、床ＦＬの下に埋め込んで設置することができる（図３）。立って移動することが困難な使用者でも、便利に使用することができる。同様に、使用者が就寝するベッドに隣接して便器１０を設置し、便座１６をベッドの上面とほぼ同一レベルに設定することも可能である。
【他の実施の形態】
【００２０】
トラップ１２は、便器１０の外部に配設することができる（図４）。ただし、図４において、シスタン２０は、ハイタンク式に図示されている。
【００２１】
便器１０のオーバフロー用の排水口１１は、配管１２ｃを介してトラップ１２の上流側に接続されている（図４、図５）。ただし、トラップ１２の上流側は、別の配管２２ａを介し、シスタン２０の底面に立設するトラップ１２用の給水パイプ２２の下端に分岐接続されており、トラップ１２の下流側は、補助排水管１２ｂを介して便器１０の排水管１４に接続されている。また、シスタン２０の排出孔２１は、洗浄水用の配管２１ａを介し、便器１０のリム部１５用の導水路１５ｂに接続されている。
【００２２】
シスタン２０には、フロート２３ａによって開閉するフロート弁２３付きの給水管２３ｂ、チェーン２４ｂを介して手動ハンドル２４ａに連結する開閉弁２４が組み込まれている。シスタン２０の外部の把手を介して手動ハンドル２４ａを回転駆動すると、チェーン２４ｂを介して開閉弁２４が開き、排出孔２１からシスタン２０内の洗浄水を便器１０に流すことができる。また、シスタン２０内の水位は、フロート２３ａ付きのフロート弁２３によりほぼ一定に保たれる。なお、フロート弁２３には、ホース２３ｃが連結されており、ホース２３ｃの先端は、給水パイプ２２の上端に差し込まれている。ただし、図５には、市販のシスタン２０に標準的に付設されているオーバフローパイプ２４ｃも併せて図示されており、給水パイプ２２の上端は、オーバフローパイプ２４ｃのそれより僅かに高いものとする。オーバフローパイプ２４ｃの下端は、開閉弁２４の下側において排出孔２１に開口している。
【００２３】
手動ハンドル２４ａを操作して洗浄水を便器１０に流すと、フロート弁２３が開いてシスタン２０に自動的に給水されるが、このとき、ホース２３ｃを介し、シスタン２０への給水の一部を給水パイプ２２に導き、トラップ１２に供給することができる。また、シスタン２０内の水位がオーバフローパイプ２４ｃの上端を越えると、シスタン２０からのオーバフロー水が便器１０に供給される。なお、便器１０を使用する都度、シスタン２０からの洗浄水の一部をトラップ１２に供給するように、たとえば配管２１ａからトラップ１２の上流側に至る分岐配管を設けて配管系統を構成してもよい。
【００２４】
カバーフレーム３０には、便器１０を収納する座面部分３１の片側に長い袖部分３５を付設することができる（図６）。なお、袖部分３５には、水栓３６ａ付きの手洗器３６が設置され、手洗器３６からの配管３６ｂは、トラップ１２の上流側に接続されている。そこで、トラップ１２には、手洗器３６からの排水を供給することができる。なお、水栓３６ａは、自動水栓、手動水栓のいずれであってもよい。また、図６において、座面部分３１には、便器１０の右側または左側の片側に手すり３４が立設されている。ただし、手すり３４は、便器１０の左右両側に設けてもよい。
【００２５】
トラップ１２を便器１０の外部に配設する他の事例を図７に示す。同図において、シスタン２０は、ロータンク式であり、トラップ１２は、Ｕトラップとして図示されている。また、オーバフロー用の排水口１１に連通する配管１２ｃは、便器１０内の排水路１２ａの下端に接続されており、トラップ１２の上流側には、水栓３６ａ付きの壁掛け式の手洗器３６からの配管３６ｂが接続されている。なお、便器１０内の排水路１２ａは、排水口１１を有しない市販の便器の内部空隙をそのまま利用することができる。すなわち、図７の便器１０は、市販の便器に排水口１１を開口し、排水路１２ａの下部に孔を明けて配管１２ｃを接続し、排水管１４を接続することにより、簡単に実現することができる。
【００２６】
以上の説明において、便器１０は、サイフォン式、サイフォンジェット式、洗い流し式などのいずれであってもよい。また、トラップ１２には、シスタン２０への給水の一部、シスタン２０からの洗浄水の一部、手洗器３６からの排水のうち、２以上を組み合わせて給水してもよい。
【図面の簡単な説明】
【００２７】
【図１】全体構成縦断面構成図
【図２】要部正面斜視図
【図３】他の実施の形態を示す模式説明図（１）
【図４】他の実施の形態を示す模式説明図（２）
【図５】図４の要部背面斜視図
【図６】他の実施の形態を示す模式説明図（３）
【図７】他の実施の形態を示す模式説明図（４）
【符号の説明】
【００２８】
１０…便器
１１…排水口
１２…トラップ
１３…ボウル
１４…排水管
２０…シスタン
３６…手洗器
特許出願人            川  島    進
代理人  弁理士      松  田  忠  秋
【図１】
2005207222.tif 000003
【図２】
2005207222.tif 000004
【図３】
2005207222.tif 000005
【図４】
2005207222.tif 000006
【図５】
2005207222.tif 000007
【図６】
2005207222.tif 000008
【図７】
2005207222.tif 000009